(57)【要約】【課題】バスリセット後から通常処理に復帰するまでの処理を簡単にし、バスリセット後から通常処理に復帰するまでの時間を短縮するネットワークの制御方法及びインターフェース装置を提供すること。【解決手段】各装置１〜４のインターフェース装置１０，２０，３０，４０に、コンフィグＲＯＭ取得回路５０を設けた。コンフィグＲＯＭ取得回路５０は、他の装置からのリード・リクエストを受信することなく、自機器のコンフィグレーションＲＯＭデータを添付したライト・リクエストを、送信先をブロードキャストにして送信するようにした。また、コンフィグＲＯＭ取得回路５０は、他の装置からのブロードキャストにて送信されてくるライト・リクエストを受信してライト・リクエストからコンフィグレーションＲＯＭデータを取り出し、全ＲＯＭデータ格納ＲＡＭに記憶する。【選択図】図１
2011010177.tif 000002
【特許請求の範囲】
【請求項１】
バスケーブルを介して複数の電子機器が接続されて構成されたネットワークおいて、バスリセットが発生し、前記バスリセットに伴い、前記バスケーブルに接続された全ての電子機器が他の各電子機器のセルフＩＤを取得した後、前記バスケーブルに接続された全ての電子機器が他の各電子機器に対するコンフィグレーションＲＯＭデータを取得して新たなネットワークを構築するネットワークの制御方法であって、
他の各電子機器に、自身のコンフィグレーションＲＯＭデータを取得させる時、他の各電子機器からのリード・リクエストを待つことなく、他の各電子機器に対して、自身のコンフィグレーションＲＯＭデータを添付したライト・リクエストを、ブロードキャストにて送信するとともに、
他の各電子機器に対してリード・リクエストすることなしに、他の各電子機器からブロードキャストにて送信されたライト・リクエストをそれぞれ受信し、前記ライト・リクエストに添付された前記他の電子機器のコンフィグレーションＲＯＭデータを記憶回路にそれぞれ記憶させるようにしたことを特徴とするネットワークの制御方法。
【請求項２】
請求項１に記載のネットワークの制御方法において、
他の電子機器のコンフィグレーションＲＯＭデータが取得できなかったとき、
バスリセットを発生させて、前記バスケーブルに接続された全ての電子機器が他の各電子機器のセルフＩＤを取得した後、再び、
他の各電子機器からのリード・リクエストを待つことなく、他の各電子機器に対して、自身のコンフィグレーションＲＯＭデータを添付したライト・リクエストを、ブロードキャストにて送信するとともに、
他の各電子機器からのリード・リクエストなしに、ブロードキャストにて送信されたライト・リクエストをそれぞれ受信し、前記ライト・リクエストに添付された該他の各電子機器のコンフィグレーションＲＯＭデータを前記記憶回路にそれぞれ記憶させるようにしたことを特徴とするネットワークの制御方法。
【請求項３】
請求項２に記載のネットワークの制御方法において、
前記バスリセットが予め定めた回数行われても、他の電子機器のコンフィグレーションＲＯＭデータが取得できなかったとき、
前記取得できなかった他の電子機器に対して、コンフィグレーションＲＯＭデータを要求するためのリード・リクエストを送信して、前記他の電子機器のコンフィグレーションＲＯＭデータを取得するようにしたことを特徴とするネットワークの制御方法。
【請求項４】
バスケーブルを介して複数の電子機器が接続されて構成されたネットワークおいて、バスリセットが発生し、前記バスリセットに伴い、前記バスケーブルに接続された全ての電子機器が他の各電子機器のセルフＩＤを取得した後、前記バスケーブルに接続された全ての電子機器が他の各電子機器に対するコンフィグレーションＲＯＭデータを取得して新たなネットワークを構築するインターフェース装置であって、
前記バスケーブルに接続された各電子機器のコンフィグレーションＲＯＭデータを記憶する記憶回路と、
他の各電子機器のセルフＩＤを取得したことを検出する検出回路と、
前記検出回路が他の各電子機器のセルフＩＤを全て取得したことを検出した時、他の各電子機器に対して、自身のコンフィグレーションＲＯＭデータを添付したライト・リクエストを、ブロードキャストにて送信するＲＯＭデータ送信回路と、
他の各電子機器からブロードキャストにて送信されたライト・リクエストを受信し、前記ライト・リクエストに添付されたコンフィグレーションＲＯＭデータを前記記憶回路に記憶させるＲＯＭデータ受信回路と
を備えたことを特徴とするインターフェース装置。
【請求項５】
請求項４に記載のインターフェース装置において、
前記ＲＯＭデータ送信回路が、自身のコンフィグレーションＲＯＭデータを、ライト・リクエストにて、一斉に送信した時から計時動作を開始し、前記ＲＯＭデータ受信回路が他の全ての電子機器のコンフィグレーションＲＯＭデータを取得することのできる予め定めた制限時間を計時するタイマ回路と、
前記タイマ回路が予め定めた制限時間を経過しても、他の全ての電子機器のコンフィグレーションＲＯＭデータを取得できかった時、前記バスリセットの発生を要求するバスリセット要求信号を出力するバスリセット信号生成回路と
を備えたことを特徴とするインターフェース装置。
【発明の詳細な説明】
【技術分野】
【０００１】
ネットワークの制御方法及びインターフェース装置に関するものである。
【背景技術】
【０００２】
デジタルＴＶやＤＶＤプレーヤに装備されているデジタルインタフェースの一つにＩＥＥＥ１３９４規格がある。ＩＥＥＥ１３９４インターフェースを用いたネットワークシステムは、ホット・プラグ機能を備え、システムの稼働中のままでネットワークに新たな電子機器の接続や取り外しでき、その利便性からオフィスや家庭等で広く普及している。また、近年、自動車に搭載された各電子機器間のシステム構築にＩＥＥＥ１３９４インターフェースが利用されている。自動車に搭載された、送受信機、ナビゲーション装置、ディスプレイ装置、ＤＶＤ装置、オーディオ装置等の各種電子機器をＩＥＥＥ１３９４規格に準拠したバスケーブルで接続し、バスケーブルを介してデータの授受を電子機器間で行うようにしたデータシステムが提案されている。
【０００３】
そして、ＩＥＥＥ１３９４規格においては、電子機器をバスケーブルに接続したときや、バスケーブルに接続された電子機器の電源を入れた時など、「バスリセット」と呼ばれる、物理層レベルでの電子機器の認識が行われる（特許文献１）。
【０００４】
そのバスリセットに続く一連の処理において、各電子機器のノードＩＤが決定され、１３９４バスケーブルに何台の装置が接続されているか、接続された装置がどのようなトポロジーを構成しているかを示すセルフＩＤパケットが送信される。
【０００５】
各電子機器は、そのセルフＩＤパケットを解析することにより、何台の電子機器が現在接続しているのか、自分がトポロジーのどこに接続されたことになっているのかが分かる。
【先行技術文献】
【特許文献】
【０００６】
【特許文献１】特開２００３−３７６０９号公報
【発明の概要】
【発明が解決しようとする課題】
【０００７】
ところで、ＩＥＥＥ１３９４規格においては、バスリセット後、各電子機器は、バスケーブルに接続された電子機器がどのような電子機器であるかを調べるために、自機器以外の電子機器に対して、コンフィグレーションＲＯＭデータ（以下、コンフィグＲＯＭデータという）を読むためのリード・リクエストを出し、バスケーブルに接続された電子機器についての調査を行う。つまり、バスリセットが発生すると、通常のデータ転送だけでなく、電子機器の認識のためのコンフィグＲＯＭデータの呼び出しや、各プロトコルに従った、バスリセットによる中断からの復帰処理が必要となる。
【０００８】
つまり、相手電子機器毎に、コンフィグＲＯＭデータを要求するためのリクエストを送信し、各相手電子機器からの送信されたコンフィグＲＯＭデータを受信する。従って、バスケーブルへの電子機器の接続台数が多くなればなるほど、各電子機器間で実行するバスリセット後の、復帰するまでの処理（パケットの送受信数）は、膨大になるとともに複雑になる。その結果、各電子機器に搭載したＩＥＥＥ１３９４ＬＳＩの制御を行うＣＰＵの負荷は重くなり、バスリセットした後から通常処理に復帰するまでに時間がかかっていた。
【０００９】
本ネットワークの制御方法及インターフェース装置は、バスリセット後から通常処理に復帰するまでの処理を簡単にし、バスリセット後から通常処理に復帰するまでの時間を短縮することを目的とする。
【課題を解決するための手段】
【００１０】
本発明の一観点によれば、他の各電子機器に、自身のコンフィグレーションＲＯＭデータを取得させる時、他の各電子機器からのリード・リクエストを待つことなく、他の各電子機器に対して、自身のコンフィグレーションＲＯＭデータを添付したライト・リクエストを、ブロードキャストにて送信するとともに、他の各電子機器に対してリード・リクエストすることなしに、他の各電子機器からブロードキャストにて送信されたライト・リクエストをそれぞれ受信し、前記ライト・リクエストに添付された前記他の電子機器のコンフィグレーションＲＯＭデータを記憶回路にそれぞれ記憶させるようにした。
【発明の効果】
【００１１】
開示されたネットワークの制御方法及インターフェース装置は、バスリセット後から通常処理に復帰するまでの処理を簡単にし、バスリセット後から通常処理に復帰するまでの時間を短縮することができる。
【図面の簡単な説明】
【００１２】
【図１】ネットワークシステムを示すブロック図である。
【図２】インターフェース装置のブロック回路である。
【図３】コンフィグＲＯＭ取得回路の処理動作を示すフローチャート図である。
【図４】各装置のコンフィグレーションＲＯＭデータの取得状況を説明する説明図である。
【図５】各装置のその他のコンフィグレーションＲＯＭデータの取得状況を説明する説明図である。
【発明を実施するための形態】
【００１３】
以下、実施形態を図１〜図５に従って説明する。
図１は、自動車に設置したＤＶＤ再生装置１、ビデオカメラ装置２、フロント液晶表示装置３、リア液晶表示装置４のシステム構成を示し、シリアルインターフェースの一つであるＩＥＥＥ１３９４（１９３４  Ａｕｔｏｍｏｔｉｖｅ）に準拠したデータ転送を行うネットワークシステムを概略的に示すブロック図である。
【００１４】
図１に示すように、ネットワークシステムは、ＤＶＤ再生装置１、ビデオカメラ装置２、フロント液晶表示装置３、リア液晶表示装置４は、ＩＥＥＥ１３９４バスケーブル（以下、バスケーブルという）５，６，７を介して互いに接続されてネットワークを構成している。
【００１５】
ＤＶＤ再生装置１は、バスケーブル５によってビデオカメラ装置２と接続されている。また、ＤＶＤ再生装置１は、バスケーブル６によってフロント液晶表示装置３と接続されている。さらに、フロント液晶表示装置３は、バスケーブル７によってリア液晶表示装置４と接続されている。そして、電子機器としての各装置１〜４は、バスケーブル５，６，７によって、デイジーチェーン型のトポロジ（システム構成）が形成されている。
【００１６】
ＤＶＤ再生装置１、ビデオカメラ装置２、フロント液晶表示装置３及びリア液晶表示装置４は、ＩＥＥＥ１３９４（１９３４  Ａｕｔｏｍｏｔｉｖｅ）に準拠したデータ転送を可能にするためのインターフェース装置１０，２０，３０，４０をそれぞれ備えている。
【００１７】
ＤＶＤ再生装置１のインターフェース装置１０は、第１及び第２ポート１１，１２、物理層処理回路１３、リンク層及びアプリケーション層等の上位層処理回路１５を備えている。また、ビデオカメラ装置２のインターフェース装置２０は、第１及び第２ポート２１，２２、物理層処理回路２３、リンク層及びアプリケーション層等の上位層処理回路２５を備えている。
【００１８】
さらに、フロント液晶表示装置３のインターフェース装置３０は、第１及び第２ポート３１，３２、物理層処理回路３３、リンク層及びアプリケーション層等の上位層処理回路３５を備えている。さらにまた、リア液晶表示装置４のインターフェース装置４０は、同様に、第１及び第２ポート４１，４２、物理層処理回路４３、リンク層及びアプリケーション層等の上位層処理回路４５を備えている。
【００１９】
そして、ＤＶＤ再生装置１（インターフェース装置１０）の第１ポート１１とビデオカメラ装置２（インターフェース装置２０）の第２ポート２２との間に、バスケーブル５が接続されている。また、ＤＶＤ再生装置１（インターフェース装置１０）の第２ポート１２とフロント液晶表示装置３（インターフェース装置３０）の第１ポート３１との間に、バスケーブル６が接続されている。さらに、フロント液晶表示装置３（インターフェース装置３０）の第２ポート３２とリア液晶表示装置４（インターフェース装置４０）の第１ポート４１との間に、バスケーブル７が接続されている。
【００２０】
ＤＶＤ再生装置１（インターフェース装置１０）の第１及び第２ポート１１，１２は、それぞれ受信回路１１ａ，１２ａ及び送信回路１１ｂ、１２ｂを備えている。
第１ポート１１の受信回路１１ａは、バスケーブル５を介してビデオカメラ装置２の第２ポート２２から送信される信号（パケットデータやトーン信号）を装置内部で扱う電気信号に変換（デコード）し、その変換した電気信号を物理層処理回路１３に出力する。また、第１ポート１１の送信回路１１ｂは、物理層処理回路１３から出力される信号（パケットデータやトーン信号）をコード変換し、そのコード変換した電気信号を、バスケーブル５を介して、ビデオカメラ装置２の第２ポート２２に送信する。
【００２１】
一方、第２ポート１２の受信回路１２ａは、バスケーブル６を介してフロント液晶表示装置３の第１ポート３１から送信される信号（パケットデータやトーン信号）を装置内部で扱う電気信号に変換（デコード）し、その変換した電気信号を物理層処理回路１３に出力する。また、第２ポート１２の送信回路１２ｂは、物理層処理回路１３から出力される信号（パケットデータやトーン信号）をコード変換し、そのコード変換した電気信号を、バスケーブル６を介して、フロント液晶表示装置３の第１ポート３１に送信する。
【００２２】
インターフェース装置１０の物理層処理回路１３は、第１ポート１１の受信回路１１ａから入力されたパケットデータを上位層処理回路１５に出力する。また、物理層処理回路１３は、上位層処理回路１５からのパケットデータを第１ポート１１の送信回路１１ｂに出力する。さらに、物理層処理回路１３は、第２ポート１２の受信回路１２ａから入力されたパケットデータを上位層処理回路１５に出力する。また、物理層処理回路１３は、上位層処理回路１５からのパケットデータを第２ポート１２の送信回路１２ｂに出力する。
【００２３】
ＤＶＤ再生装置１（インターフェース装置１０）の上位層処理回路１５は、物理層処理回路１３から入力したパケットデータが、第２ポート１２を介してフロント液晶表示装置３に送信するデータのとき、該データを、物理層処理回路１３を介して第２ポート１２に出力する。また、上位層処理回路１５は、物理層処理回路１３から入力されたパケットデータが、第１ポート１１を介してビデオカメラ装置２に送信するデータのとき、該データを、物理層処理回路１３を介して、第１ポート１１に出力する。
【００２４】
さらに、上位層処理回路１５は、物理層処理回路１３から入力したパケットデータが、バスケーブル５を介してビデオカメラ装置２との間でのデータ授受のときには、該データを取込み信号処理してその処理したデータを物理層処理回路１３、及び、第１ポート１１を介してビデオカメラ装置２に送信するようになっている。同様に、上位層処理回路１５は、物理層処理回路１３から入力したパケットデータが、バスケーブル６介してフロント液晶表示装置３との間でのデータ授受のときには、該データを取込み信号処理してその処理したデータを物理層処理回路１３、及び、第２ポート１２を介してフロント液晶表示装置３に送信するようになっている。
【００２５】
そして、このように構成されたＤＶＤ再生装置１のインターフェース装置１０は、上位層処理回路１５を介して、該インターフェース装置１０を統括制御するマイクロコンピュータの中央処理装置（ＣＰＵ）１６との間で各種のデータ授受を行うようになっている。
【００２６】
ビデオカメラ装置２（インターフェース装置２０）の第１及び第２ポート２１，２２は、それぞれ受信回路２１ａ，２２ａ及び送信回路２１ｂ，２２ｂを備えている。
第１ポート２１の受信回路２１ａは、図示しない外部装置から送信される信号（パケットデータやトーン信号）を装置内部で扱う電気信号に変換（デコード）し、その変換した電気信号を物理層処理回路２３に出力するようになっている。また、第１ポート２１の送信回路２１ｂは、物理層処理回路２３から出力される信号（パケットデータやトーン信号）をコード変換し、そのコード変換した電気信号を、図示しない外部装置に送信するようになっている。
【００２７】
一方、第２ポート２２の受信回路２２ａは、バスケーブル５を介して、ＤＶＤ再生装置１の第１ポート１１の送信回路１１ｂから送信される信号（パケットデータやトーン信号）を装置内部で扱う電気信号に変換（デコード）し、その変換した電気信号を物理層処理回路２３に出力する。また、第２ポート２２の送信回路２２ｂは、物理層処理回路２３から出力される信号（パケットデータやトーン信号）をコード変換し、そのコード変換した電気信号を、バスケーブル５を介して、ＤＶＤ再生装置１の第１ポート１１の受信回路１１ａに送信する。
【００２８】
インターフェース装置２０の物理層処理回路２３は、第１ポート２１の受信回路２１ａから入力されたパケットデータを上位層処理回路２５に出力する。また、物理層処理回路２３は、上位層処理回路２５からのパケットデータを第１ポート２１の送信回路２１ｂに出力する。さらに、物理層処理回路２３は、第２ポート２２の受信回路２２ａから入力されたパケットデータを上位層処理回路２５に出力する。また、物理層処理回路２３は、上位層処理回路２５からのパケットデータを第２ポート２２の送信回路２２ｂに出力する。
【００２９】
ビデオカメラ装置２（インターフェース装置２０）の上位層処理回路２５は、物理層処理回路２３から入力したパケットデータが、第２ポート２２を介してＤＶＤ再生装置１に送信するデータのとき、該データを、物理層処理回路２３を介して、第２ポート２２に出力する。また、上位層処理回路２５は、物理層処理回路２３から入力されたパケットデータが、第１ポート２１を介して外部装置に送信するデータのとき、該データを、物理層処理回路２３を介して、第１ポート２１に出力する。
【００３０】
また、上位層処理回路２５は、物理層処理回路２３から入力したパケットデータが、第１ポート２１を介して外部装置との間でのデータ授受のときには、該データを取込み信号処理してその処理したデータを物理層処理回路２３、及び、第１ポート２１を介して外部装置に送信するようになっている。同様に、上位層処理回路２５は、物理層処理回路２３から入力したパケットデータが、バスケーブル５を介してＤＶＤ再生装置１との間でのデータ授受のときには、該データを取込み信号処理してその処理したデータを物理層処理回路２３、及び、第２ポート２２を介してＤＶＤ再生装置１に送信するようになっている。
【００３１】
そして、このように構成されたビデオカメラ装置２のインターフェース装置２０は、上位層処理回路２５を介して、該インターフェース装置２０を統括制御するマイクロコンピュータの中央処理装置（ＣＰＵ）２６との間で各種のデータ授受を行うようになっている。
【００３２】
フロント液晶表示装置３（インターフェース装置３０）の第１及び第２ポート３１，３２は、それぞれ受信回路３１ａ，３２ａ及び送信回路３１ｂ，３２ｂを備えている。
第１ポート３１の受信回路３１ａは、バスケーブル６を介して、ＤＶＤ再生装置１から送信される信号（パケットデータやトーン信号）を装置内部で扱う電気信号に変換（デコード）し、その変換した電気信号を物理層処理回路３３に出力するようになっている。また、第１ポート３１の送信回路３１ｂは、物理層処理回路３３から出力される信号（パケットデータやトーン信号）をコード変換し、そのコード変換した電気信号を、バスケーブル６を介して、ＤＶＤ再生装置１に送信するようになっている。
【００３３】
一方、第２ポート３２の受信回路３２ａは、バスケーブル７を介して、リア液晶表示装置４の第１ポート４１の送信回路４１ｂから送信される信号（パケットデータやトーン信号）を装置内部で扱う電気信号に変換（デコード）し、その変換した電気信号を物理層処理回路３３に出力する。また、第２ポート３２の送信回路３２ｂは、物理層処理回路３３から出力される信号（パケットデータやトーン信号）をコード変換し、そのコード変換した電気信号を、バスケーブル７を介して、リア液晶表示装置４の第１ポート４１の受信回路４１ａに送信する。
【００３４】
インターフェース装置３０の物理層処理回路３３は、第１ポート３１の受信回路３１ａから入力されたパケットデータを上位層処理回路３５に出力する。また、物理層処理回路３３は、上位層処理回路３５からのパケットデータを第１ポート３１の送信回路３１ｂに出力する。さらに、物理層処理回路３３は、第２ポート３２の受信回路３２ａから入力されたパケットデータを上位層処理回路３５に出力する。また、物理層処理回路３３は、上位層処理回路３５からのパケットデータを第２ポート３２の送信回路３２ｂに出力する。
【００３５】
フロント液晶表示装置３（インターフェース装置３０）の上位層処理回路３５は、物理層処理回路３３から入力したパケットデータが、第２ポート３２を介してリア液晶表示装置４に送信するデータのとき、該データを、物理層処理回路３３を介して、第２ポート３２に出力する。また、上位層処理回路３５は、物理層処理回路３３から入力されたパケットデータを、第１ポート３１を介してＤＶＤ再生装置１に送信するデータのとき、該データを、物理層処理回路３３を介して、第１ポート３１に出力する。
【００３６】
また、上位層処理回路３５は、物理層処理回路３３から入力したパケットデータが、第１ポート３１を介してＤＶＤ再生装置１との間でのデータ授受のときには、該データを取込み信号処理してその処理したデータを物理層処理回路３３、及び、第１ポート３１を介してＤＶＤ再生装置１に送信するようになっている。同様に、上位層処理回路３５は、物理層処理回路３３から入力したパケットデータが、バスケーブル７を介してリア液晶表示装置４との間でのデータ授受のときには、該データを取込み信号処理してその処理したデータを物理層処理回路３３、及び、第２ポート３２を介してリア液晶表示装置４に送信するようになっている。
【００３７】
そして、このように構成されたフロント液晶表示装置３のインターフェース装置３０は、上位層処理回路３５を介して、該インターフェース装置３０を統括制御するマイクロコンピュータの中央処理装置（ＣＰＵ）３６との間で各種のデータ授受を行うようになっている。
【００３８】
リア液晶表示装置４（インターフェース装置４０）の第１及び第２ポート４１，４２は、それぞれ受信回路４１ａ，４２ａ及び送信回路４１ｂ，４２ｂを備えている。
第１ポート４１の受信回路４１ａは、バスケーブル７を介して、フロント液晶表示装置３の第２ポート３２の送信回路３２ｂから送信される信号（パケットデータやトーン信号）を装置内部で扱う電気信号に変換（デコード）し、その変換した電気信号を物理層処理回路４３に出力する。また、第１ポート４１の送信回路４１ｂは、物理層処理回路４３から出力される信号（パケットデータやトーン信号）をコード変換し、そのコード変換した電気信号を、バスケーブル７を介して、フロント液晶表示装置３の第２ポート３２の受信回路３２ａに送信する。
【００３９】
一方、第２ポート４２の受信回路４２ａは、外部装置から送信される信号（パケットデータやトーン信号）を装置内部で扱う電気信号に変換（デコード）し、その変換した電気信号を物理層処理回路４３に出力するようになっている。また、第２ポート４２の送信回路４２ｂは、物理層処理回路４３から出力される信号（パケットデータやトーン信号）をコード変換し、そのコード変換した電気信号を、外部装置に送信するようになっている。
【００４０】
インターフェース装置４０の物理層処理回路４３は、第１ポート４１の受信回路４１ａから入力されたパケットデータを上位層処理回路４５に出力する。また、物理層処理回路４３は、上位層処理回路４５からのパケットデータを第１ポート４１の送信回路４１ｂに出力する。さらに、物理層処理回路４３は、第２ポート４２の受信回路４２ａから入力されたパケットデータを上位層処理回路４５に出力する。また、物理層処理回路４３は、上位層処理回路４５からのパケットデータを第２ポート４２の送信回路４２ｂに出力する。
【００４１】
リア液晶表示装置４（インターフェース装置４０）の上位層処理回路４５は、物理層処理回路４３から入力したパケットデータが、第２ポート４２を介して図示しない外部装置に送信するデータのとき、該データを、物理層処理回路４３を介して、第２ポート４２に出力するようになっている。また、上位層処理回路４５は、物理層処理回路４３から入力されたパケットデータが、第１ポート４１を介してフロント液晶表示装置３に送信するデータのとき、該データを、物理層処理回路４３を介して、第１ポート４１に出力する。
【００４２】
また、上位層処理回路４５は、物理層処理回路４３から入力したパケットデータが、第１ポート４１を介してフロント液晶表示装置３との間でのデータ授受のときには、該データを取込み信号処理してその処理したデータを物理層処理回路４３、及び、第１ポート４１を介してフロント液晶表示装置３に送信するようになっている。同様に、上位層処理回路４５は、物理層処理回路４３から入力したパケットデータが、第２ポート４２を介して外部装置との間でのデータ授受のときには、該データを取込み信号処理してその処理したデータを物理層処理回路４３、及び、第２ポート４２を介して外部装置に送信するようになっている。
【００４３】
そして、このように構成されたリア液晶表示装置４のインターフェース装置４０は、上位層処理回路４５を介して、該インターフェース装置４０を統括制御するマイクロコンピュータの中央処理装置（ＣＰＵ）４６との間で各種のデータ授受を行うようになっている。
【００４４】
各インターフェース装置１０，２０，３０，４０には、コンフィグレーションＲＯＭデータ取得回路（以下、コンフィグＲＯＭ取得回路という）５０がそれぞれ設けられている。
【００４５】
なお、各インターフェース装置１０，２０，３０，４０に設けたコンフィグＲＯＭ取得回路５０は、具体的に回路構成が同じである。従って、説明の便宜上、ＤＶＤ再生装置１のインターフェース装置１０に設けたコンフィグＲＯＭ取得回路５０について説明する。そして、他のインターフェース装置２０，３０，４０に設けたコンフィグＲＯＭ取得回路５０について、その詳細な説明を省略する。
【００４６】
図２は、ＤＶＤ再生装置１のインターフェース装置１０に設けたコンフィグＲＯＭ取得回路５０のブロック回路を示す。
図２において、コンフィグＲＯＭ取得回路５０は、自機器コンフィグレーションＲＯＭデータ格納ＲＡＭ（以下、自機器ＲＯＭデータ格納ＲＡＭという）５１、コンフィグレーションＲＯＭデータ送信回路（以下、ＲＯＭデータ送信回路という）５２を有している。
【００４７】
自機器ＲＯＭデータ格納ＲＡＭ５１は、自機器のコンフィグＲＯＭデータＤＡを記憶したメモリである。自機器ＲＯＭデータ格納ＲＡＭ５１は、インターフェース装置１０の初期化時に、ＣＰＵ１６にて自機器のコンフィグＲＯＭデータＤＡが設定される。
【００４８】
ＲＯＭデータ送信回路５２は、自機器ＲＯＭデータ格納ＲＡＭ５１からの自機器のコンフィグＲＯＭデータＤＡを読み出し、自機器のコンフィグレーションＲＯＭデータＤＡを添付したライト・リクエストであって、送信先をブロードキャストとした送信データを作成する。ＲＯＭデータ送信回路５２は、送信先をブロードキャストとした自機器のコンフィグレーションＲＯＭデータＤＡを添付したライト・リクエストを、物理層処理回路１３とコンフィグＲＯＭ取得回路５０の間に設けた非同期転送制御回路１４を介して物理層処理回路１３に送信する。
【００４９】
従って、ＲＯＭデータ送信回路５２から出力される自機器のコンフィグレーションＲＯＭデータＤＡを添付したライト・リクエストは、物理層処理回路１３からライト・リクエストパケットとして他の装置２，３，４のインターフェース装置２０，３０，４０にそれぞれ送信される。
【００５０】
また、コンフィグＲＯＭ取得回路５０は、記憶回路としてのコンフィグレーションＲＯＭデータ格納ＲＡＭ（以下、全ＲＯＭデータ格納ＲＡＭという）５３、第１〜第６３フラグＦ１〜Ｆ６３、コンフィグレーションＲＯＭデータライト・リクエスト受信回路（以下、ＲＯＭデータ受信回路という）５４を有している。
【００５１】
全ＲＯＭデータ格納ＲＡＭ５３は、ネットワークシステムにおいて電子機器（ノード）が接続される最大の数である６３台に対応して６３個の記憶領域Ｍ１〜Ｍ６３を有し、各記憶領域は接続される各ノードに対して割り当てられていて、その割り当てられた装置（ノード）のコンフィグＲＯＭデータが記憶されるようになっている。
【００５２】
本実施形態では、ＤＶＤ再生装置１、ビデオカメラ装置２、フロント液晶表示装置３及びリア液晶表示装置４の４台の装置がバスケーブル５，６，７な接続されていることから、全ＲＯＭデータ格納ＲＡＭ５３は、４個の第１〜第４記憶領域Ｍ１〜Ｍ４であってもよい。
【００５３】
尚、バスリセット後においてノードＩＤの番号が設定されるが、本実施形態では、説明の便宜上、ＤＶＤ再生装置１、ビデオカメラ装置２、フロント液晶表示装置３及びリア液晶表示装置４の順でノードＩＤが設定されるものとする。そして、第１記憶領域Ｍ１にＤＶＤ再生装置１が割り当てられ、そのコンフィグＲＯＭデータＤＡが記憶される。また、第２記憶領域Ｍ２にビデオカメラ装置２が割り当てられ、そのコンフィグＲＯＭデータＤＢが記憶される。さらに、第３記憶領域Ｍ３にフロント液晶表示装置３が割り当てられ、そのコンフィグＲＯＭデータＤＣが記憶される。さらにまた、第４記憶領域Ｍ４にリア液晶表示装置４が割り当てられ、そのコンフィグＲＯＭデータＤＤが記憶されるようになっている。
【００５４】
第１〜第６３フラグＦ１〜Ｆ６３は、全ＲＯＭデータ格納ＲＡＭ５３の各記憶領域Ｍ１〜Ｍ６３においてコンフィグＲＯＭデータが記憶されているか否かを指標するフラグである。
【００５５】
本実施形態では、全ＲＯＭデータ格納ＲＡＭ５３の第１〜第４記憶領域Ｍ１〜Ｍ４にコンフィグＲＯＭデータＤＡ〜ＤＤがそれぞれ記憶されることから、第１〜第４フラグＦ１〜Ｆ４だけであってもよい。
【００５６】
ＲＯＭデータ受信回路５４は、物理層処理回路１３が入力した他のインターフェース装置２０，３０，４０のコンフィグレーションＲＯＭデータＤＢ，ＤＣ，ＤＤを添付したライト・リクエストを、非同期転送制御回路１４を介して入力する。ＲＯＭデータ受信回路５４は、物理層処理回路１３から入力した他のインターフェース装置２０，３０，４０のコンフィグＲＯＭデータＤＢ，ＤＣ，ＤＤが添付されたライト・リクエストパケットから同コンフィグＲＯＭデータＤＢ，ＤＣ，ＤＤを取り出す。そして、ＲＯＭデータ受信回路５４は、その取り出したコンフィグＲＯＭデータＤＢ，ＤＣ，ＤＤを、全ＲＯＭデータ格納ＲＡＭ５３の該コンフィグレーションＲＯＭデータの装置（ノード）に対して割り当てられた記憶領域Ｍ２〜Ｍ４にそれぞれ記憶するようになっている。
【００５７】
尚、自機器のコンフィグレーションＲＯＭデータＤＡについては、ＣＰＵ１６が、バスリセット時に自機器ＲＯＭデータＲＡＭ５１から読み出し、全ＲＯＭデータ格納ＲＡＭ５３の割り当てられた記憶領域Ｍ１に記憶する。もしくは、自機器ＲＯＭデータＲＡＭ５１から全ＲＯＭデータ格納ＲＡＭ５３の割り当てられた記憶領域Ｍ１に自動で転送する仕組みとしてもよい。又は、ＣＰＵ１６が記憶領域Ｍ１を読み出す時に、自動的に自機器ＲＯＭデータＲＡＭ５１が読み出される仕組みとしておいてもよい。これは、ビデオカメラ装置２、フロント液晶表示装置３及びリア液晶表示装置４についても同様に行われる。
【００５８】
因みに、ビデオカメラ装置２は、自機器のコンフィグレーションＲＯＭデータＤＢが全ＲＯＭデータ格納ＲＡＭ５３の記憶領域Ｍ２に記憶される。また、フロント液晶表示装置３は、自機器のコンフィグレーションＲＯＭデータＤＣが全ＲＯＭデータ格納ＲＡＭ５３の記憶領域Ｍ３に記憶される。さらに、リア液晶表示装置４は、自機器のコンフィグレーションＲＯＭデータＤＤが全ＲＯＭデータ格納ＲＡＭ５３の記憶領域Ｍ４に記憶される。
【００５９】
さらに、コンフィグＲＯＭ取得回路５０は、検出回路、バスリセット信号生成回路としてのセルフＩＤ確認回路５５、タイマ５６，自機器ノードＩＤ取得回路５７を有する。
セルフＩＤ確認回路５５は、バスケーブル５，６，７に何台の装置（ノード）がつながっているかを認識する回路であって、バスリセット後に送受信されるセルフＩＤパケットを、物理層処理回路１３を介して入力し、他の装置２〜４のセルフＩＤを認識してバスケーブル５，６，７に何台の装置がつながっているかを認識するとともに、各装置１〜４のノードＩＤを認識する。
【００６０】
また、セルフＩＤ確認回路５５は、自機器ノードＩＤ取得回路５７が取得して保持している自機器のノードＩＤと、第１〜第６３フラグＦ１〜Ｆ６３の内容に基づいて、バスケーブル５，６，７に接続された全ての装置１〜４のコンフィグレーションＲＯＭデータＤＡ，ＤＢ，ＤＣ，ＤＤが送信されたか認識する。そして、セルフＩＤ確認回路５５は、全ての装置１〜４のコンフィグレーションＲＯＭデータＤＡ，ＤＢ，ＤＣ，ＤＤが全ＲＯＭデータ格納ＲＡＭ５３の対応する記憶領域Ｍ１〜Ｍ４にそれぞれ格納されると、同セルフＩＤ確認回路５５に内蔵した完了フラグ５５ａに格納が完了した旨のフラグを設定する。
【００６１】
タイマ回路としてのタイマ５６は、バスリセットが発生した時、計時動作を開始し、全ての装置１〜４のコンフィグレーションＲＯＭデータＤＡ，ＤＢ，ＤＣ，ＤＤが全ＲＯＭデータ格納ＲＡＭ５３の記憶領域Ｍ１〜Ｍ４に格納するのに許される予め定めた制限時間を計時するタイマである。
【００６２】
そして、タイマ５６が、予め定めた制限時間を経過しても、全ての装置１〜４のコンフィグレーションＲＯＭデータＤＡ，ＤＢ，ＤＣ，ＤＤが全ＲＯＭデータ格納ＲＡＭ５３の記憶領域Ｍ１〜Ｍ４に格納されなかったとき、セルフＩＤ確認回路５５は、物理層処理回路１３に対してバスリセットを要求する信号を出力し、自動的にバスリセットを行わせ、再度コンフィグレーションＲＯＭデータＤＡ，ＤＢ，ＤＣ，ＤＤの読み出しを行わせるようにしている。
【００６３】
又、このようなバスリセットが予め定めたＮ回行われても、全ての装置１〜４のコンフィグレーションＲＯＭデータＤＡ，ＤＢ，ＤＣ，ＤＤが全ＲＯＭデータ格納ＲＡＭ５３の記憶領域Ｍ１〜Ｍ４に格納されなかったとき、セルフＩＤ確認回路５５は、バスケーブル５，６，７に接続された装置１〜４の中に、コンフィグＲＯＭ取得回路５０を備えていない従前のＩＥＥＥ１３９４規格のインターフェース装置を備えて装置が含まれていると判断し、その旨を、物理層処理回路１３に出力するようになっている。そして、物理層処理回路１３は、格納されないコンフィグＲＯＭデータの装置に対して、通常の、コンフィグレーションＲＯＭデータのリード・リクエストを送信して、該装置からコンフィグレーションＲＯＭデータの要求（リード・リクエスト）をするようになっている。
【００６４】
自機器ノードＩＤ取得回路５７は、物理層処理回路１３が入力した自機器ノードＩＤを取得し保持するようになっている。
次に、コンフィグＲＯＭ取得回路５０の処理動作を図３に示すフローチャートに従って説明する。なお、説明の便宜上、ＤＶＤ再生装置１のインターフェース装置１０に設けたコンフィグＲＯＭ取得回路５０の処理動作について説明する。
【００６５】
今、ＤＶＤ再生装置１に電源が投入され各インターフェース装置１０、２０，３０，４０において、バスリセットが発生し（ステップＳ１）、バスリセットの発生に基づく通常のバスリセット処理がなされ、各装置１〜４との間で、セルフＩＤパケットの送受信が行われる（ステップＳ２）。そして、各装置（ノード）１〜４間のセルフＩＤパケットの送受信が完了すると、コンフィグＲＯＭ取得回路５０は、セルフＩＤ確認回路５５に各装置１〜４のセルフＩＤパケットを、物理層処理回路１３を介して入力して、コンフィグレーションＲＯＭデータ取得処理動作を開始する。
【００６６】
尚、この時点では、各装置１〜４は、全ＲＯＭデータ格納ＲＡＭ５３の記憶領域Ｍ１〜Ｍ４及び第１〜第４フラグＦ１〜Ｆ４を一旦クリアした後、それぞれ自機器のコンフィグレーションＲＯＭデータＤＡ，ＤＢ，ＤＣ，ＤＤについて、それぞれ自機器ＲＯＭデータＲＡＭ５１から読み出し、全ＲＯＭデータ格納ＲＡＭ５３の割り当てられた記憶領域Ｍ１〜Ｍ４にそれぞれ記憶するとともに、対応するフラグＦ１〜Ｆ４についてその内容「１」をそれぞれ設定している。
【００６７】
コンフィグレーションＲＯＭデータ取得処理動作は、自機器コンフィグレーションＲＯＭデータ送信処理（ステップＳ３）と、他機器コンフィグレーションＲＯＭデータ受信処理（ステップＳ４）を有し、これら両処理はコンフィグＲＯＭ取得回路５０内に設けた各回路にて並行して実行される。
【００６８】
（コンフィグレーションＲＯＭデータ送信処理）
コンフィグレーションＲＯＭデータ取得処理は、まず、自機器ノードＩＤ取得回路５７が、物理層処理回路１３から自機器ノードＩＤを入力し保持する（ステップＳ３―１）。この自機器ノードＩＤ取得回路５７が取得した自機器ノードＩＤは、セルフＩＤ確認回路５５に出力され、セルフＩＤ確認回路５５にて自機器ノードＩＤが認識される。
【００６９】
次に、ＲＯＭデータ送信回路５２は、装置毎（ノード毎）に予め決まった待機時間だけ待機した後（ステップＳ３−２）、自機器のコンフィグレーションＲＯＭデータＤＡの送信処理を開始する（ステップＳ３−３）。
【００７０】
装置毎（ノード毎）に予め決まった待機時間とは、各装置１〜４が自機器のコンフィグレーションＲＯＭデータＤＡ，ＤＢ，ＤＣ，ＤＤを他の装置にそれぞれ送信するタイミングを決定するための時間であって、ノードＩＤの番号順に送信されるようになっている。従って、各装置で待機時間は異なっている。
【００７１】
因みに、本実施形態では、図４に示すように、ＤＶＤ再生装置１は時刻ｔ１で、ビデオカメラ装置２は時刻ｔ２で、フロント液晶表示装置３は時刻ｔ３で、リア液晶表示装置４は時刻ｔ４で、自機器のコンフィグレーションＲＯＭデータＤＡ，ＤＢ，ＤＣ，ＤＤの送信がそれぞれ開始されるように、装置毎（ノード毎）の待機時間は、予め設定されている。
【００７２】
やがて、ＲＯＭデータ送信回路５２は、ＤＶＤ再生装置１の予め定めた待機時間が経過すると、データ送信処理を開始する（ステップＳ３−３）。
ステップＳ３−３において、ＲＯＭデータ送信回路５２は、自機器ＲＯＭデータ格納ＲＡＭ５１から自機器のコンフィグレーションＲＯＭデータＤＡを読み出す。ＲＯＭデータ送信回路５２は、自機器のコンフィグレーションＲＯＭデータＤＡを読み出すと、送信先をブロードキャストとしたライト・リクエストに、その自機器のコンフィグレーションＲＯＭデータＤＡを添付したライト・リクエストパケットを作成し、非同期転送制御回路１４を介して物理層処理回路１３に送信する。
【００７３】
そして、時刻ｔ１に物理層処理回路１３から、自機器（ＤＶＤ再生装置１）のコンフィグレーションＲＯＭデータＤＡを添付した送信先をブロードキャストとしたライト・リクエストパケットが、他の装置２〜４に送信されることによって、コンフィグレーションＲＯＭデータ送信処理が終了する。
【００７４】
因みに、図４に示すように、時刻ｔ２でビデオカメラ装置２から自機器のコンフィグレーションＲＯＭデータＤＢを添付したライト・リクエストパケットが、他の装置１，３，４に送信される。また、時刻ｔ３でフロント液晶表示装置３から自機器のコンフィグレーションＲＯＭデータＤＣを添付したライト・リクエストパケットが、他の装置１，２，４に送信される。さらに、時刻ｔ４でリア液晶表示装置４から自機器のコンフィグレーションＲＯＭデータＤＤを添付したライト・リクエストパケットが、他の装置１，２，３に送信される。
【００７５】
（コンフィグレーションＲＯＭデータ受信処理）
一方、コンフィグレーションＲＯＭデータ受信処理は、まず、セルフＩＤ確認回路５５が、物理層処理回路１３から入力した各装置１〜４のセルフＩＤパケットからネットワークを構成している装置（ノード）の台数を認識する（ステップＳ４−１）。本実施形態では、ＤＶＤ再生装置１、ビデオカメラ装置２、フロント液晶表示装置３、リア液晶表示装置４の４台なので台数を「４」と認識する。
【００７６】
やがて、図４に示すように、時刻ｔ１でＤＶＤ再生装置１、時刻ｔ２でビデオカメラ装置２、時刻ｔ３でフロント液晶表示装置３、時刻ｔ４でリア液晶表示装置４から、送信先をブロードキャストとしたそれぞれ自機器のコンフィグレーションＲＯＭデータＤＡ，ＤＢ，ＤＣ，ＤＤを添付したライト・リクエストパケットが送信される。
【００７７】
そして、物理層処理回路１３が、各装置１〜４からのコンフィグレーションＲＯＭデータＤＡ，ＤＢ，ＤＣ，ＤＤを添付したライト・リクエストパケットを、ＤＶＤ再生装置１、ビデオカメラ装置２、フロント液晶表示装置３，リア液晶表示装置４の順番で受信すると、物理層処理回路１３は、そのライト・リクエストパケットをＲＯＭデータ受信回路５４に順次送信する。
【００７８】
ここで、装置２〜４のＲＯＭデータ受信回路５４は、まず、ＤＶＤ再生装置１からのライト・リクエストパケットを受信すると（ステップＳ４−２）、ライト・リクエストパケットからコンフィグレーションＲＯＭデータＤＡを取り出して、その取り出したコンフィグレーションＲＯＭデータＤＡを、全ＲＯＭデータ格納ＲＡＭ５３に記憶する（ステップＳ４−３）。
【００７９】
詳述するように、各装置２〜４のＲＯＭデータ受信回路５４は、その取り出したＤＶＤ再生装置１のコンフィグレーションＲＯＭデータＤＡを、全ＲＯＭデータ格納ＲＡＭ５３の該ＤＶＤ再生装置１に対して割り当てられた第１記憶領域Ｍ１に記憶する。また、ＲＯＭデータ受信回路５４は、第１記憶領域Ｍ１に記憶すると、第１記憶領域Ｍ１にＤＶＤ再生装置１のコンフィグレーションＲＯＭデータＤＡが記憶された内容「１」を第１フラグＦ１に記憶する。
【００８０】
第１記憶領域Ｍ１及び第１フラグＦ１への書き込みが終了すると、以後、予め定めた制限時間の間に、それぞれの装置１〜４のＲＯＭデータ受信回路５４は、ビデオカメラ装置２、フロント液晶表示装置３、リア液晶表示装置４の順番で、受信されるコンフィグレーションＲＯＭデータＤＢ，ＤＣ，ＤＤを、対応の第２記憶領域Ｍ２、第３記憶領域Ｍ３、第４記憶領域Ｍ４にそれぞれ記憶するとともに、該データが記憶された旨の内容「１」を第２、第３、第４フラグＦ２，Ｆ３，Ｆ４にそれぞれ記憶する。
【００８１】
そして、セルフＩＤ確認回路５５は、第１〜第４フラグＦ１〜Ｆ４の内容をみて全ての装置１〜４のコンフィグレーションＲＯＭデータが記憶されたことを認識した時、完了フラグ５５ａにその旨の内容を設定する。
【００８２】
やがって、予め定めた制限時間が経過すると（ステップＳ４−４でＹＥＳ）、コンフィグレーションＲＯＭデータ受信処理が終了する。
コンフィグレーションＲＯＭデータ取得処理、即ち、並行して行われたＲＯＭデータ送信処理と、ＲＯＭデータ受信処理が終了すると、セルフＩＤ確認回路５５は、全ての装置１〜４のコンフィグＲＯＭデータＤＡ，ＤＢ，ＤＣ，ＤＤが全ＲＯＭデータ格納ＲＡＭ５３の割り当てられた第１〜第４記憶領域Ｍ１〜Ｍ４にそれぞれ記憶されたかどうか判断する（ステップＳ５）。
【００８３】
セルフＩＤ確認回路５５は、完了フラグ５５ａの内容をみて、全ての装置１〜４のコンフィグＲＯＭデータが全ＲＯＭデータ格納ＲＡＭ５３に記憶されたかどうか判断する。
そして、セルフＩＤ確認回路５５が完了フラグ５５ａの内容に基づいて、全ての装置１〜４のコンフィグレーションＲＯＭデータＤＡ，ＤＢ，ＤＣ，ＤＤが全ＲＯＭデータ格納ＲＡＭ５３に記憶されていると判断すると（ステップＳ５でＹＥＳ）、ＤＶＤ再生装置１のインターフェース装置１０は、通常の動作を実行する。
【００８４】
反対に、セルフＩＤ確認回路５５が完了フラグ５５ａの内容に基づいて、全ての装置１〜４のコンフィグレーションＲＯＭデータＤＡ，ＤＢ，ＤＣ，ＤＤが全ＲＯＭデータ格納ＲＡＭ５３に記憶されていないと判断すると（ステップＳ５でＮＯ）、正常にライト・リクエストパケットの送受信が行われなかったとして、ステップＳ６に移る。
【００８５】
ステップＳ６において、新たなバスリセットを発生させ（ステップＳ１）、再度、ライト・リクエストパケットの送受信を行う前に、該バスリセットの発生を予め定めたＮ回行ったどうかチェックする。そして、セルフＩＤ確認回路５５は、バスリセットをＮ回行わなかった場合には（ステップＳ６でＮＯ）、ステップＳ２に移り、バスリセットを要求する信号を、物理層処理回路１３に出力し、新たなバスリセットを待ち、再度、ライト・リクエストパケットの送受信を行う。
【００８６】
これによって、前記と同様な処理動作が実行されて、全ての装置１〜４が、全ての装置のコンフィグレーションＲＯＭデータＤＡ，ＤＢ，ＤＣ，ＤＤを取得するようにする。
一方、ステップＳ５、Ｓ６において、Ｎ回バスリセットを発生させても、全ての装置１〜４が、全ての装置のコンフィグレーションＲＯＭデータＤＡ，ＤＢ，ＤＣ，ＤＤを取得できなかった場合（ステップＳ６でＹＥＳ）、ネットワークを構成する各装置１〜４の中で、コンフィグＲＯＭ取得回路５０が設けられていない装置が存在すると判断し、新たにバスリセットを発生させるのをやめて、通常のコンフィグレーションＲＯＭデータ取得のための処理動作に移るようにしている。
【００８７】
次に、ネットワークを構成する各装置１〜４の中で、例えばリア液晶表示装置４のインターフェース装置４０にコンフィグＲＯＭ取得回路５０が設けられていない場合の動作について説明する。尚、説明の便宜上、リア液晶表示装置４のインターフェース装置４０がコンフィグＲＯＭ取得回路５０を設けられておらず従前のＩＥＥＥ１３９４規格のインターフェース装置が設けられているものとして説明する。
【００８８】
リア液晶表示装置４は、自身のインターフェース装置４０にコンフィグＲＯＭ取得回路５０が設けられていないことから、送信先をブロードキャストとした自機器のコンフィグレーションＲＯＭデータＤＤを添付したライト・リクエストの送信も、他の装置１〜３からの送信先をブロードキャストとした自機器のコンフィグレーションＲＯＭデータＤＡ，ＤＢ，ＤＣを添付したライト・リクエストの受信も行うことはない。
【００８９】
従って、図５に示すように、リア液晶表示装置４（インターフェース装置４０）は、時刻ｔ１において、ＤＶＤ再生装置１から送信される送信先をブロードキャストとした自機器のコンフィグレーションＲＯＭデータＤＡを添付したライト・リクエストを受信しない。また、リア液晶表示装置４（インターフェース装置４０）は、時刻ｔ２において、ビデオカメラ装置２から送信される送信先をブロードキャストとした自機器のコンフィグレーションＲＯＭデータＤＢを添付したライト・リクエストを受信しない。さらに、リア液晶表示装置４（インターフェース装置４０）は、時刻ｔ３において、フロント液晶表示装置３から送信される送信先をブロードキャストとした自機器のコンフィグレーションＲＯＭデータＤＣを添付したライト・リクエストを受信しない。
【００９０】
一方、リア液晶表示装置４（インターフェース装置４０）は、時刻ｔ４において、送信先をブロードキャストとした自機器のコンフィグレーションＲＯＭデータＤＤを添付したライト・リクエストを送信しない。
【００９１】
従って、ＤＶＤ再生装置１、ビデオカメラ装置２、フロント液晶表示装置３は、リア液晶表示装置４のコンフィグレーションＲＯＭデータＤＤが全ＲＯＭデータ格納ＲＡＭ５３の第４記憶領域Ｍ４に記憶保持されていないことになる。
【００９２】
そして、前記ステップＳ５、Ｓ６において、セルフＩＤ確認回路５５は、全ての装置１〜４のコンフィグＲＯＭデータＤＡ，ＤＢ，ＤＣ，ＤＤが全ＲＯＭデータ格納ＲＡＭ５３の割り当てられた第１〜第４記憶領域Ｍ１〜Ｍ４にそれぞれ記憶されたかどうか判断する。このとき、セルフＩＤ確認回路５５は、第４フラグＦ４をみて、リア液晶表示装置４のコンフィグレーションＲＯＭデータＤＤが未だ取得されていないと判断する。つまり、セルフＩＤ確認回路５５は、リア液晶表示装置４（インターフェース装置４０）がコンフィグＲＯＭ取得回路５０を設けていない従前のＩＥＥＥ１３９４規格のインターフェース装置であると判断する。
【００９３】
そして、セルフＩＤ確認回路５５は、物理層処理回路１３に対して、リア液晶表示装置４のコンフィグＲＯＭデータＤＤの取得のための通常のリード・リクエストをリア液晶表示装置４に送信させる制御信号を出力する。
【００９４】
これによって、図５に示すように、時刻ｔ５において、ＤＶＤ再生装置１（インターフェース装置１０）から、送信先をリア液晶表示装置４としたリード・リクエストパケットが送信される。そして、該リード・リクエストパケットを受信したリア液晶表示装置４（インターフェース装置４０）は、リード・リクエストに応答して、時刻ｔ６において、送信先をＤＶＤ再生装置１とした自機器のコンフィグレーションＲＯＭデータＤＤを添付したライト・リクエストパケットを送信する。
【００９５】
この通常のライト・リクエストパケット送信によって、ＤＶＤ再生装置１（インターフェース装置１０）は、リア液晶表示装置４のコンフィグレーションＲＯＭデータＤＤを取得し、全ＲＯＭデータ格納ＲＡＭ５３の第４記憶領域Ｍ４に記憶する。
【００９６】
続いて、ビデオカメラ装置２においても、ＤＶＤ再生装置１と同様な動作が行われ、時刻ｔ７で送信先をリア液晶表示装置４としたリード・リクエストパケットが送信され、時刻ｔ８でリア液晶表示装置４から送信先をビデオカメラ装置２とした自機器のコンフィグレーションＲＯＭデータＤＤを添付したライト・リクエストパケットが送信される。
【００９７】
そして、フロント液晶表示装置３においても、同様な動作が行われ、時刻ｔ９で送信先をリア液晶表示装置４としたリード・リクエストパケットが送信され、時刻ｔ１０でリア液晶表示装置４から送信先をフロント液晶表示装置３とした自機器のコンフィグレーションＲＯＭデータＤＤを添付したライト・リクエストパケットが送信される。
【００９８】
最後に、リア液晶表示装置４は、ＤＶＤ再生装置１、ビデオカメラ装置２及びフロント液晶表示装置３のコンフィグレーションＲＯＭデータＤＡ，ＤＢ，ＤＣをそれぞれ取得するための動作が行われる。
【００９９】
まず、リア液晶表示装置４（インターフェース装置４０）は、時刻ｔ１１で、送信先をＤＶＤ再生装置１としたリード・リクエストパケットを送信する。そして、該リード・リクエストパケットを受信したＤＶＤ再生装置１（インターフェース装置１０）は、リード・リクエストに応答して、時刻ｔ１２において、送信先をリア液晶表示装置４とした自機器のコンフィグレーションＲＯＭデータＤＡを添付したライト・リクエストパケットを送信する。
【０１００】
この通常のライト・リクエストパケット送信によって、リア液晶表示装置４（インターフェース装置４０）は、ＤＶＤ再生装置１のコンフィグレーションＲＯＭデータを取得する。
【０１０１】
次に、リア液晶表示装置４（インターフェース装置４０）は、時刻ｔ１３で、送信先をビデオカメラ装置２としたリード・リクエストパケットを送信する。そして、該リード・リクエストパケットを受信したビデオカメラ装置２（インターフェース装置２０）は、リード・リクエストに応答して、時刻ｔ１４において、送信先をリア液晶表示装置４とした自機器のコンフィグレーションＲＯＭデータＤＢを添付したライト・リクエストパケットを送信する。これによって、リア液晶表示装置４（インターフェース装置４０）は、ビデオカメラ装置２のコンフィグレーションＲＯＭデータを取得する。
【０１０２】
最後に、リア液晶表示装置４（インターフェース装置４０）は、時刻ｔ１５で、送信先をフロント液晶表示装置３としたリード・リクエストパケットを送信する。そして、該リード・リクエストパケットを受信したフロント液晶表示装置３（インターフェース装置３０）は、リード・リクエストに応答して、時刻ｔ１６において、送信先をリア液晶表示装置４とした自機器のコンフィグレーションＲＯＭデータＤＣを添付したライト・リクエストパケットを送信する。これによって、リア液晶表示装置４（インターフェース装置４０）は、フロント液晶表示装置３のコンフィグレーションＲＯＭデータを取得する。
【０１０３】
このように、ネットワーク上に、コンフィグＲＯＭ取得回路５０を有しないインターフェース装置を設けた電子機器が混在していても、全ての装置１〜４は、他の全ての装置のコンフィグレーションＲＯＭデータを取得することができる。
【０１０４】
以上記述したように、本実施の形態によれば、以下の効果を奏する。
（１）本実施形態によれば、各装置１〜４のインターフェース装置１０，２０，３０，４０に、他の装置のコンフィグレーションＲＯＭデータを取得するための専用のコンフィグＲＯＭ取得回路５０を設けた。そして、コンフィグＲＯＭ取得回路５０は、他の装置からのリード・リクエストを受信することなく、自機器のコンフィグレーションＲＯＭデータＤＡ，ＤＢ，ＤＣ，ＤＤを添付したライト・リクエストを、送信先をブロードキャストにしてＲＯＭデータ送信回路５２から送信するようにした。
【０１０５】
従って、各装置１〜４が、他の全装置のコンフィグレーションＲＯＭデータＤＡ，ＤＢ，ＤＣ，ＤＤを取得するために、他の全装置ごとに事前に行うリード・リクエストの送信処理が省略できる。その結果、全装置１〜４のインターフェース装置１０，２０，３０，４０は、他の全ての装置のコンフィグレーションＲＯＭデータＤＡ，ＤＢ，ＤＣ，ＤＤを取得するための時間を短縮できるとともに、コンフィグレーションＲＯＭデータ取得のための負荷も軽減される。
【０１０６】
（２）また、本実施形態によれば、コンフィグＲＯＭ取得回路５０は、ＲＯＭデータ受信回路５４が他の装置からのブロードキャストにて送信されてくるライト・リクエストを受信してライト・リクエストからコンフィグレーションＲＯＭデータを取り出し、全ＲＯＭデータ格納ＲＡＭ５３に記憶するようにした。
【０１０７】
従って、各装置１〜４が、他の全装置に自機器のコンフィグレーションＲＯＭデータを送信するために、他の全装置ごとに行う自機器のコンフィグレーションＲＯＭデータ添付したライト・リクエストの送信処理が省略できる。その結果、全装置１〜４のインターフェース装置１０，２０，３０，４０は、他の全ての装置のコンフィグレーションＲＯＭデータを取得するための時間を短縮できるとともに、コンフィグレーションＲＯＭデータ取得のための負荷も軽減される。
【０１０８】
（３）本実施形態によれば、ネットワーク上の装置１〜４のコンフィグレーションＲＯＭデータＤＡ，ＤＢ，ＤＣ，ＤＤが取得できなかったとき、バスリセットを発生させて、再度、新たなコンフィグレーションＲＯＭデータ取得処理動作を行うようにした。従って、最初のバスリセットの時に、他の装置のコンフィグレーションＲＯＭデータの取得に失敗しても、再度バスリセットするだけで、コンフィグレーションＲＯＭデータの取得ための処理が短時間で行うことができる。
【０１０９】
（４）本実施形態によれば、バスリセットがＮ回行われても、他の装置のコンフィグレーションＲＯＭデータが取得できなかったとき、取得できなかった他の装置に対して、コンフィグレーションＲＯＭデータを要求するためのリード・リクエストを送信して、他の装置のコンフィグレーションＲＯＭデータを取得するようにした。従って、コンフィグＲＯＭ取得回路５０を備えていない装置がネットワーク上に存在しても、全装置１〜４は、他の全ての装置１〜４のコンフィグレーションＲＯＭデータＤＡ，ＤＢ，ＤＣ，ＤＤを取得することができる。
【０１１０】
尚、上記実施の形態は、以下の態様で実施してもよい。
○上記実施形態では、自動車に搭載した複数の電子機器のネットワークに具体化した。これを、オフィスや家庭において設置した複数の電子機器のネットワークに具体化してもよい。
【０１１１】
○上記実施形態では、インターフェース装置１０，２０，３０，４０は、ＩＥＥＥ１３９４（１９３４  Ａｕｔｏｍｏｔｉｖｅ）規格に準拠した装置に具体化したが、ホット・プラグ機能を持つ他のインターフェース装置に具体化して実施しても良い。
【０１１２】
○上記実施形態では、ＤＶＤ再生装置１、ビデオカメラ装置２，フロント液晶表示装置３及びリア液晶表示装置４からなる４台の電子機器で構成したが、その数を特に制限されるものではなく、２、３又は５台以上で構成してもよい。
【０１１３】
○上記実施形態では、各インターフェース装置１０，２０，３０，４０は、２つのポート（第１及び第２ポート）を設けたが、ポートを１つあるいは３つ以上設けるようにしてもよい。
【０１１４】
○上記実施形態では、コンフィグＲＯＭ取得回路５０を有しないインターフェース装置を設けた電子機器をネットワークに１つ接続した場合について説明したが、２つ以上接続されているネットワークに実施してもよい。
【０１１５】
○上記実施形態では、ライト・リクエストパケットの種類を具体的に示さなかったが、例えば、ライト・ブロック（Block）・リクエストやライト・クワドレット（Quadlet）・リクエストで実施してもよい。
【符号の説明】
【０１１６】
１  ＤＶＤ再生装置
２  ビデオカメラ装置
３  フロント液晶表示装置
４  リア液晶表示装置
５，６，７  バスケーブル
１０，２０，３０，４０  インターフェース装置
１３，２３，３３，４３  物理層処理回路
５０  コンフィグレーションＲＯＭデータ取得回路（コンフィグＲＯＭ取得回路）
５１  自機器コンフィグレーションＲＯＭデータ格納ＲＡＭ（自機器ＲＯＭデータ格納ＲＡＭ）
５２  コンフィグレーションＲＯＭデータ送信回路（ＲＯＭデータ送信回路）
５３  コンフィグレーションＲＯＭデータ格納ＲＡＭ（全ＲＯＭデータ格納ＲＡＭ）
５４  コンフィグレーションＲＯＭデータライト・リクエスト受信回路（ＲＯＭデータ受信回路）
５５  セルフＩＤ確認回路
５５ａ  完了フラグ
５６  タイマ
５７  自機器ノードＩＤ取得回路
ＤＡ，ＤＢ，ＤＣ，ＤＤ  コンフィグレーションＲＯＭデータ
【図１】
2011010177.tif 000003
【図２】
2011010177.tif 000004
【図３】
2011010177.tif 000005
【図４】
2011010177.tif 000006
【図５】
2011010177.tif 000007